(57)【特許請求の範囲】
【請求項１】
画像を構成する複数のセグメントが進退自在に配設された表示部を備えた表示装置において、
（ａ）前記各セグメントに対応させて配設され、内部に作動流体を収容し、光ファイバーケーブルによる光吸収体への照射に基づいて熱を発生させ、前記作動流体を変化させて各セグメントを選択的に前進させるアクチュエータと、
（ｂ）該各アクチュエータに対応させて配設され、各アクチュエータにおける発光量を調整する発光量調整回路と、
（ｃ）駆動信号に従って前記各アクチュエータを調整された発光量で駆動し、前記各セグメントを、発光量に対応させて前進させ、前進位置と後退位置との間の任意の位置に置く駆動手段とを有することを特徴とする表示装置。
【発明の詳細な説明】
【０００１】
【発明の属する技術分野】
本発明は、表示装置に関するものである。
【０００２】
【従来の技術】
従来、電子卓上計算機、電子辞書等の電子機器は、文字、数字等の画像を表示するための表示部を備える。
図２は従来の電子卓上計算機の概略図である。
図において、１１は図示されないＣＰＵを内蔵する電子機器としての電子卓上計算機、１２はボタン、１３は液晶から成る表示部である。
【０００３】
操作者が前記ボタン１２を押下することによって所定の値を入力し、計算を指示すると、前記ＣＰＵにおいては、入力された値を表示手段によって前記表示部１３に表示し、入力された値及び指示に基づいて計算手段によって所定の計算を行うとともに、前記表示手段によって画像を前記表示部１３に表示することにより、計算結果を操作者に通知する。
【０００４】
また、前記液晶に代えて発光ダイオードを使用することもできる。この場合、前記発光ダイオードはマトリックス状に配列され、各発光ダイオードを選択的に点灯することによって、画像を表示することができる。
【０００５】
【発明が解決しようとする課題】
しかしながら、前記構成の電子卓上計算機においては、表示される画像はいずれも平面的なものであり、視覚による認識が必要とされる。したがって、視覚に障害がある人は使用することができない。
そこで、画像を音声に変換することも考えられるが、変換に時間がかかり、応答性が低い。
【０００６】
本発明は、前記従来の電子卓上計算機の問題点を解決して、視覚による認識が不要であり、視覚に障害がある人でも使用することができ、かつ、応答性が高い表示装置を提供することを目的とする。
【０００７】
【課題を解決するための手段】
そのために、本発明の表示装置においては、画像を構成する複数のセグメントが進退自在に配設された表示部を備えるようになっている。
そして、前記各セグメントに対応させて配設され、内部に作動流体を収容し、光ファイバーケーブルによる光吸収体への照射に基づいて熱を発生させ、前記作動流体を変化させて各セグメントを選択的に前進させるアクチュエータと、該各アクチュエータに対応させて配設され、各アクチュエータにおける発光量を調整する発光量調整回路と、駆動信号に従って前記各アクチュエータを調整された発光量で駆動し、前記各セグメントを、発光量に対応させて前進させ、前進位置と後退位置との間の任意の位置に置く駆動手段とを有する。
【０００８】
【発明の実施の形態】
以下、本発明の実施の形態について図面を参照しながら詳細に説明する。
図１は本発明の第１の実施の形態における表示部の概念図、図３は本発明の第１の実施の形態における表示部の要部概略図、図４は本発明の第１の実施の形態における表示装置の制御ブロック図である。
【０００９】
図において、２１は表示部であり、該表示部２１は電子卓上計算機、電子辞書等の図示されない電子機器の所定の箇所に形成され、図３に示されるように、７個の棒状のセグメント２７を備え、該各セグメント２７を選択的に前進（図１における矢印Ａ方向に移動）させることによって、「Ｅ」の文字、「０」〜「９」の数字等の画像を表示することができる。
【００１０】
前記各セグメント２７は、図１に示されるように、該各セグメント２７に対応させて配設されたアクチュエータ１９によってそれぞれ作動させられ、実線で示される後退位置及び破線で示される前進位置に置かれる。前記アクチュエータ１９は、ケース１８、レーザーダイオード２２、光ファイバーケーブル２３、ガラスプレート２４、光吸収体２５及び低沸点の液体から成る作動流体２６によって構成される。
【００１１】
そして、前記レーザーダイオード２２が図示されないレーザー光を発生させると、該レーザー光は光ファイバーケーブル２３及びガラスプレート２４を介して光吸収体２５に照射される。該光吸収体２５は、ケース１８内に配設され、該ケース１８に充填（てん）された作動流体２６によって包囲される。そして、前記光吸収体２５と対向させて、かつ、前記ケース１８に対して摺（しゅう）動自在にセグメント２７が配設される。
【００１２】
また、３１は図示されないＣＰＵ、ＲＡＭ、ＲＯＭ等から成る制御回路、３２は所定の値を入力し、計算を指示するためのスイッチであり、該スイッチ３２は、操作者によって対応する図示されないボタンが押下されるとオンになる。前記各スイッチ３２の入力情報はスイッチ入力回路３３を介して制御回路３１に送られる。
【００１３】
そして、前記各レーザーダイオード２２は、制御回路３１から送られた駆動信号に基づいてそれぞれレーザー駆動回路３４によって発光させられる。なお、前記表示部２１、制御回路３１、スイッチ３２、スイッチ入力回路３３及びレーザー駆動回路３４によって表示装置が構成される。
次に、該表示装置の動作について説明する。
【００１４】
まず、操作者が所定のボタンを押下して対応するスイッチ３２をオンにすると、入力情報がスイッチ入力回路３３を介して制御回路３１に送られる。該制御回路３１の図示されない駆動手段は、前記入力情報に対応するレーザー駆動回路３４を駆動し、レーザーダイオード２２を発光させる。
その結果、該レーザーダイオード２２によって発生させられたレーザー光は光ファイバーケーブル２３及びガラスプレート２４を介して光吸収体２５に照射される。そして、前記光吸収体２５が、照射されたレーザー光を熱に変換し、ケース１８内の作動流体２６を加熱すると、該作動流体２６の一部が気体に変化し、ケース１８内の圧力を高くしてセグメント２７を押して突出させ、前記後退位置から前進位置に移動させる。
【００１５】
例えば、操作者が数字の「６」に対応するボタンを押下すると、該ボタンに対応するスイッチ３２がオンになり、それに対応するレーザーダイオード２２が発光させられる。その結果、図３に示される斜線のセグメント２７が前進させられて「６」の文字が表示部２１に形成される。
このように、セグメント２７を選択的に前進させることによって、画像を立体的に表示することができるので、視覚によらず、触覚による認識が可能になる。したがって、視覚に障害がある人でも、電子機器を使用することができる。
【００１６】
しかも、画像を音声に変換する必要がないので、応答性を高くすることができる。
なお、前記アクチュエータ１９及び図示されない発光ダイオード等を併用することによって、触覚及び視覚による認識を可能にすることもできる。
次に、本発明の第２の実施の形態について説明する。
【００１７】
図５は本発明の第２の実施の形態における表示部の要部概略図、図６は本発明の第２の実施の形態における表示部の概念図、図７は本発明の第２の実施の形態における表示装置の制御ブロック図である。なお、第１の実施の形態と同じ構造を有するものについては、同じ符号を付与することによってその説明を省略する。
【００１８】
図において、５１は表示部であり、該表示部５１はマトリックス状に配列された複数のセグメント５２を備え、該各セグメント５２を選択的に前進（図６における矢印Ｂ、Ｃ方向に移動）させることによって、任意の文字、数字等の画像を表示することができる。また、前記各セグメント５２は、それぞれ、図６に示されるアクチュエータ５９によって作動させられる。
【００１９】
そして、図７に示されるように、各レーザー駆動回路３４に対応させて発光量調整回路５３が配設され、制御回路３１によって各発光量調整回路５３に指示が与えられる。なお、前記表示部５１、制御回路３１、スイッチ３２（図４）、レーザー駆動回路３４及び発光量調整回路５３によって表示装置が構成される。
この場合、前記制御回路３１の図示されない発光量調整手段によって、各レーザーダイオード２２の発光量を独立させて調整することができ、前記セグメント５２を発光量に対応させて前進させることができる。その結果、セグメント５２を任意の位置に置くことができるので、画像を一層立体的に表示することができる。
【００２０】
例えば、図５において、網掛け部Ｐ１のセグメント５２を斜線部Ｐ２のセグメント５２より高い位置に置こうとする場合、網掛け部Ｐ１のセグメント５２に対応するレーザーダイオード２２の発光量を多くする。その結果、網掛け部Ｐ１のセグメント５２に対応する作動流体２６の加熱量が多くなり、セグメント５２が前進させられる量が多くなる。
【００２１】
このように、発光量調整回路５３によって、各レーザーダイオード２２の発光量を独立させて調整することができるので、画像を一層立体的に表示することができる。
なお、前記アクチュエータ５９及び図示されない発光ダイオード等を併用することによって、触覚及び視覚による認識を可能にすることもできる。
【００２２】
なお、本発明は前記実施の形態に限定されるものではなく、本発明の趣旨に基づいて種々変形させることが可能であり、それらを本発明の範囲から排除するものではない。
【００２３】
【発明の効果】
以上詳細に説明したように、本発明によれば、表示装置においては、画像を構成する複数のセグメントが進退自在に配設された表示部を備えるようになっている。
そして、前記各セグメントに対応させて配設され、内部に作動流体を収容し、光ファイバーケーブルによる光吸収体への照射に基づいて熱を発生させ、前記作動流体を変化させて各セグメントを選択的に前進させるアクチュエータと、該各アクチュエータに対応させて配設され、各アクチュエータにおける発光量を調整する発光量調整回路と、駆動信号に従って前記各アクチュエータを調整された発光量で駆動し、前記各セグメントを、発光量に対応させて前進させ、前進位置と後退位置との間の任意の位置に置く駆動手段とを有する。
【００２４】
この場合、駆動信号に従って前記各アクチュエータを調整された発光量で駆動すると、各セグメントが、選択的に発光量に対応させて前進させられ、前進位置と後退位置との間の任意の位置に置かれる。
したがって、画像を立体的に表示することができ、視覚によらず、触覚による認識が可能になるので、視覚に障害がある人でも、電子機器を使用することができる。
【００２５】
しかも、画像を音声に変換する必要がないので、応答性を高くすることができる。
【図面の簡単な説明】
【図１】本発明の第１の実施の形態における表示部の概念図である。
【図２】従来の電子卓上計算機の概略図である。
【図３】本発明の第１の実施の形態における表示部の要部概略図である。
【図４】本発明の第１の実施の形態における表示装置の制御ブロック図である。
【図５】本発明の第２の実施の形態における表示部の要部概略図である。
【図６】本発明の第２の実施の形態における表示部の概念図である。
【図７】本発明の第２の実施の形態における表示装置の制御ブロック図である。
【符号の説明】
１９、５９    アクチュエータ
２１、５１    表示部
２７、５２    セグメント
３１    制御回路
３２    スイッチ
３３    スイッチ入力回路
３４    レーザー駆動回路
５３    発光量調整回路
【図１】
0003631603.tif 000002
【図２】
0003631603.tif 000003
【図３】
0003631603.tif 000004
【図４】
0003631603.tif 000005
【図５】
0003631603.tif 000006
【図６】
0003631603.tif 000007
【図７】
0003631603.tif 000008